(57)【要約】【課題】生産性に優れ、水密性の高い電力変換装置を提供する。【解決手段】半導体モジュールと、一対の冷媒導排管１２０を備えた冷却器と、一対の冷媒導排管１２０をそれぞれ一対の開口部２１から外方へ向けて突出させつつ半導体モジュール及び冷却器を収容するケースと、弾性材料より構成され、一対の冷媒導排管１２０をそれぞれ貫通させた状態で開口部２１に嵌入配置される一対のグロメット３とを有する電力変換装置１である。グロメット３は、冷媒導排管１２０が貫通される貫通穴３０１と、開口部２１の内周面２１３と密着可能に構成されたシール面３１０とを有するグロメット本体部３１と、グロメット本体部３１における冷媒導排管１２０の貫通方向の一方の端部からシール面３１０よりも外方に突出しているガイド部３２とを有している。グロメット３には金属よりなる補強部材４が内包され、補強部材４の少なくとも一部はガイド部３２に配置されている。【選択図】図６
2014090019.tif 000002
【特許請求の範囲】
【請求項１】
半導体モジュール（１１）と、
冷却媒体を導排出する一対の冷媒導排管（１２０）を備え、上記半導体モジュール（１１）を冷却する冷却器（１２）と、
上記一対の冷媒導排管（１２０）をそれぞれ挿通する一対の開口部（２１、２１２）を形成してなるとともに、上記一対の冷媒導排管（１２０）をそれぞれ上記一対の開口部（２１、２１２）から外方へ向けて突出させつつ上記半導体モジュール（１１）及び上記冷却器（１２）を内方に収容するケース（２、２０、２２）と、
弾性材料より構成され、上記一対の冷媒導排管（１２０）をそれぞれ貫通させた状態で上記開口部（２１、２１２）に嵌入配置される一対のグロメット（３、３０２、３０４、３０５、３０６）とを有し、
該グロメット（３、３０２、３０４、３０５、３０６）は、上記冷媒導排管（１２０）が貫通される貫通穴（３０１）と、上記開口部（２１、２１２）の内周面（２１３）と密着可能に構成されたシール面（３１０、３１１、３１３）とを有するグロメット本体部（３１、３１２）と、
該グロメット本体部（３１、３１２）における上記冷媒導排管（１２０）の貫通方向の一方の端部から上記シール面（３１０、３１１、３１３）よりも外方に突出しているガイド部（３２、３２２）とを有し、
上記グロメット（３、３０２、３０４、３０５、３０６）には、金属よりなる補強部材（４、４０２、４０３、４０４、４０５、４０６）が内包され、該補強部材（４、４０２、４０３、４０４、４０５、４０６）の少なくとも一部（４２、４２２、４２３、４２６、４０４、４０５）は上記ガイド部（３２、３２２）に配置されていることを特徴とする電力変換装置（１、１０２）。
【請求項２】
請求項１に記載の電力変換装置（１、１０２）において、上記補強部材（４、４０２、４０３、４０４、４０６）は、上記ガイド部（３２、３２２）と上記グロメット本体部（３１、３１２）との双方にわたって配置されていることを特徴とする電力変換装置（１、１０２）。
【請求項３】
請求項２に記載の電力変換装置（１、１０２）において、上記補強部材（４、４０２、４０３）は、上記グロメット本体部（３１、３１２）側に配された筒状体部（４１）と、該筒状体部（４１）の一端から外方へ突出した鍔部（４２、４２２、４２３）とを備え、該鍔部（４２、４２２、４２３）の一部が上記ガイド部（３２、３２２）に配されていることを特徴とする電力変換装置（１、１０２）。
【請求項４】
請求項３に記載の電力変換装置（１、１０２）において、上記鍔部（４２、４２２）は、上記筒状体部（４１）の一端における全周に渡って形成されていることを特徴とする電力変換装置（１、１０２）。
【請求項５】
請求項１〜４のいずれか１項に記載の電力変換装置（１、１０２）において、上記ガイド部（３２、３２２）は、上記ケース（２、２０、２２）の外側に配されていることを特徴とする電力変換装置（１、１０２）。
【請求項６】
請求項１〜５のいずれか１項に記載の電力変換装置（１、１０２）において、上記ケース（２）は、両者の間に上記一対の開口部（２１）を形成するように組合されるケース本体（２０）とケース蓋体（２２）とを備え、上記ケース本体（２０）は、上記ケース蓋体（２２）との合せ面（２３）から切り欠いたＵ字状を呈する一対の切り欠き凹部（２１１）を形成してなり、上記ガイド部（３２）は上記切り欠き凹部（２１１）の先端の曲面部（２１４）に配置されていることを特徴とする電力変換装置（１）。
【発明の詳細な説明】
【技術分野】
【０００１】
本発明は、半導体モジュールと冷却器とを有する電力変換装置に関する。
【背景技術】
【０００２】
例えば、電気自動車やハイブリッド自動車等には、インバータ等の電力変換装置が搭載されている。特許文献１には、半導体モジュールと冷却器の冷媒流路とが交互に積層され、半導体モジュールを両主面から冷却可能に構成された電力変換装置が開示されている。特許文献１に記載された電力変換装置は、冷却性能を向上させて半導体モジュールからの発熱を効率よく除去することにより、高出力化を図ったものである。
【０００３】
また、特許文献１の電力変換装置は、防水用のグロメットに一対の冷媒導排管を貫通させた状態でグロメットをケースの切り欠き部に嵌入している。これにより、ケースの水密性を高め、ケース内部への水分の浸入を防止できるよう構成されている。また、グロメットの外周面には、ケースの内側面と外側面とにそれぞれ配置される一対のリブが、外周側へ突出形成されている。
【先行技術文献】
【特許文献】
【０００４】
【特許文献１】特開２０１１−８６７６１号公報
【発明の概要】
【発明が解決しようとする課題】
【０００５】
しかしながら、特許文献１に記載の電力変換装置に用いられるグロメットは、ゴム等の弾性材料により構成されているため、ケースの切り欠き部へ嵌入する際に、その嵌入作業の仕方によっては、リブが変形することが考えられる。そのため、場合によっては、グロメットをケースへ嵌入する際に、リブがシール面と切り欠き部の内周面との間に挟みこまれてしまうことが考えられる。この場合には、グロメットのシール面と切り欠き部の内周面とが十分に密着しなくなるおそれがあり、ケースの水密性が低下するおそれがある。また、リブがシール面と切り欠き部の内周面との間に挟みこまれる場合には、組み付けし直す必要が生じるため、より生産性を向上させることが望まれていた。
【０００６】
本発明は、上記の背景に鑑みてなされたもので、生産性に優れ、水密性の高い電力変換装置を提供しようとするものである。
【課題を解決するための手段】
【０００７】
本発明の一態様は、半導体モジュールと、
冷却媒体を導排出する一対の冷媒導排管を備え、上記半導体モジュールを冷却する冷却器と、
上記一対の冷媒導排管をそれぞれ挿通する一対の開口部を形成してなるとともに、上記一対の冷媒導排管をそれぞれ上記一対の開口部から外方へ向けて突出させつつ上記半導体モジュール及び上記冷却器を内方に収容するケースと、
弾性材料より構成され、上記一対の冷媒導排管をそれぞれ貫通させた状態で上記開口部に嵌入配置される一対のグロメットとを有し、
該グロメットは、上記冷媒導排管が貫通される貫通穴と、上記開口部の内周面と密着可能に構成されたシール面とを有するグロメット本体部と、
該グロメット本体部における上記冷媒導排管の貫通方向の一方の端部から上記シール面よりも外方に突出しているガイド部とを有し、
上記グロメットには、金属よりなる補強部材が内包され、該補強部材の少なくとも一部は上記ガイド部に配置されていることを特徴とする電力変換装置にある（請求項１）。
【発明の効果】
【０００８】
上記電力変換装置において、上記グロメットは、金属よりなる補強部材を内包し、該補強部材の少なくとも一部が上記ガイド部に配置されている。上記ガイド部は、上記補強部材が内包されていることにより、上記開口部に嵌入配置される際に変形しにくくなる。そのため、上記グロメットは、嵌入配置後における上記ガイド部の上記シール面側への噛み込みを防止できるものとなる。その結果、上記グロメットを有する上記電力変換装置は、上記シール面と上記開口部の内周面との密着性を高めることが容易となり、水密性の高いものとなる。
【０００９】
また、上記ガイド部が上述のように変形しにくくなっているため、上記ガイド部を案内しつつ上記グロメットを上記開口部へ嵌入することにより、上記グロメットの位置決めを容易に行うことができる。その結果、組み付けのやり直しを低減でき、生産性を向上させることができる。
【００１０】
以上のように、上記態様によれば、生産性に優れ、水密性の高い電力変換装置を提供することができる。
【図面の簡単な説明】
【００１１】
【図１】実施例１における、グロメット冷媒導排管の突出方向（積層方向）から見た平面図。
【図２】図１のII−II線矢視断面図。
【図３】実施例１における、補強部材の斜視図。
【図４】実施例１における、電力変換装置をグロメットの嵌入方向（高さ方向）から見た平面図。
【図５】実施例１における、電力変換装置を冷媒導排管の突出方向（積層方向）から見た平面図。
【図６】実施例１における、グロメットを開口部に嵌入配置する際の説明図。
【図７】実施例２における、円状の開口部に配設されるグロメットを冷媒導排管の突出方向（積層方向）から見た平面図。
【図８】図７のVIII−VIII線矢視断面図。
【図９】実施例２における、電力変換装置を冷媒導排管の突出方向（積層方向）から見た平面図。
【図１０】実施例３における、筒状体部の開口端の一部から鍔部を突出形成した補強部材の斜視図。
【図１１】実施例４における、筒状体部を有しない補強部材の斜視図。
【図１２】実施例４における、グロメットの断面図（図２に相当する断面図）。
【図１３】実施例５における、ガイド部のみに配された補強部材を有するグロメットの断面図（図２に相当する断面図）。
【図１４】実施例６における、略Ｕ字状を呈する補強部材を有するグロメットの平面図。
【図１５】実施例６における、補強部材の斜視図。
【発明を実施するための形態】
【００１２】
上記電力変換装置において、上記グロメットを構成する弾性材料としては、耐水性及び耐油性を有するゴム状の材料であれば、種々の材料を採用することができる。弾性材料の例としては、エチレン・プロピレンゴム（ＥＰＤＭ）、ニトリルゴム、シリコーンゴムあるいはフッ素ゴム等の公知の材料を採用することができる。
【００１３】
また、上記補強部材を構成する金属としては、通常鉄系材料が用いられるが、これに限定されることはなく、上記ガイド部を補強可能な強度を有する材料を採用することができる。
【００１４】
また、上記補強部材は、上記ガイド部と上記グロメット部との双方にわたって配置されていてもよい（請求項２）。この場合には、上記開口部への嵌入時に上記ガイド部を変形させようとする力を、上記補強部材を介して上記グロメット本体部に分散させることができる。その結果、上記ガイド部がより変形しにくいものとなるため、上記電力変換装置は、水密性をより向上させることができる。
【００１５】
また、上記補強部材は、上記グロメット本体部側に配された筒状体部と、該筒状体部の一端から外方へ突出した鍔部とを備え、該鍔部の一部が上記ガイド部に配されていてもよい（請求項３）。この場合には、上記鍔部が上記筒状体部から屈曲された状態となるため、上記補強部材の強度がより向上し、上記ガイド部をより効果的に補強することができる。また、上記筒状体部が上記グロメット本体部を補強するため、上記グロメット本体部がより変形しにくいものとなる。そのため、上記グロメットは、上記シール面と上記開口部との間の密着性と、上記貫通穴と上記一対の冷媒導排管との間の密着性との双方をより向上させることができるものとなる。その結果、上記電力変換装置は、水密性をより向上させることができる。
【００１６】
また、上記鍔部は、上記筒状体部の一端における全周に渡って形成されていてもよい（請求項４）。この場合には、上記鍔部の強度がより向上するため、上記ガイド部がより変形しにくいものとなる。その結果、上記電力変換装置は、水密性をより向上させることができる。
【００１７】
また、上記ガイド部は、上記ケースの外側に配されていてもよい（請求項５）。この場合には、上記ガイド部は、上記ケースの外側から見て上記開口部の開口端縁を覆うように配置される。そのため、上記電力変換装置の水密性をより向上させることができる。また、この場合には、上記グロメットを上記開口部に嵌入した後に、上記ガイド部が変形していないことを容易に確認することができる。その結果、上記電力変換装置は、生産性に優れたものとなる。
【００１８】
また、上記ケースは、両者の間に上記一対の開口部を形成するように組合されるケース本体とケース蓋体とを備え、上記ケース本体は、上記ケース蓋体との合せ面から切り欠いたＵ字状を呈する一対の切り欠き凹部を形成してなり、上記ガイド部は上記切り欠き凹部の先端の曲面部に配置されていてもよい（請求項６）。この場合には、上記切り欠き凹部が角部を有さない形状となるため、上記シール面と上記切り欠き凹部の内周面との間の密着性をより向上させることができる。その結果、上記電力変換装置は、水密性をより向上させることができる。
【実施例】
【００１９】
（実施例１）
上記電力変換装置の実施例を、図１〜図６を用いて説明する。電力変換装置１は、図４に示すように、複数の半導体モジュール１１と、冷却器１２と、ケース２と、一対のグロメット３とを有している。
【００２０】
冷却器１２は、図４に示すように、冷却媒体を導排出する一対の冷媒導排管１２０を備えており、半導体モジュール１１を冷却する機能を有する。
【００２１】
ケース２は、図４及び図５に示すように、一対の冷媒導排管１２０をそれぞれ挿通する一対の開口部２１を形成してなるとともに、一対の冷媒導排管１２０をそれぞれ一対の開口部２１から外方へ向けて突出させつつ半導体モジュール１１及び冷却器１２を内方に収容している。そして、一対のグロメット３は、弾性材料より構成され、図４及び図５に示すように、一対の冷媒導排管１２０をそれぞれ貫通させた状態で開口部２１に嵌入配置されている。
【００２２】
グロメット３は、図１及び図２に示すように、冷媒導排管１２０が貫通される貫通穴３０１と、開口部２１の内周面２１３と密着可能に構成されたシール面３１０とを有するグロメット本体部３１と、グロメット本体部３１における冷媒導排管１２０の貫通方向の一方の端部からシール面３１０よりも外方に突出しているガイド部３２とを有している。そして、グロメット３には、図２に示すように鉄系材料よりなる補強部材４が内包され、補強部材４の少なくとも一部がガイド部３２に配置されている。
【００２３】
以下、電力変換装置１について詳細に説明する。電力変換装置１は、図４に示すように、略直方体状のケース２の内部に半導体モジュール１１及び冷却器１２を収容している。ケース２における１つの壁面からは、一対の冷媒導排管１２０が同一方向に向けて突出している（以下、冷媒導排管１２０の突出方向（長手方向）を「積層方向Ｘ」という。）。また、一対の冷媒導排管１２０は、積層方向Ｘと直交する方向に互いに並べて配されている（以下、一対の冷媒導排管１２０の並び方向を「幅方向Ｙ」という。また、積層方向Ｘと幅方向Ｙとの双方と直交する方向を「高さ方向Ｚ」という。）。
【００２４】
ケース２は、図５に示すように、両者の間に一対の開口部２１を形成するように組合されるケース本体２０とケース蓋体２２とを備えている。ケース本体２０は、ケース蓋体２２との合せ面２３から切り欠いたＵ字状を呈する一対の切り欠き凹部２１１を有している。そして、各々の切り欠き凹部２１１には、図６に示すようにグロメット３が嵌入配置され、図５に示すようにグロメット３のガイド部３２が切り欠き凹部２１１の先端の曲面部２１４に配置されている。
【００２５】
本例においては、ケース本体２０は高さ方向Ｚの一方が開口された略直方体状を呈しており、ケース蓋体２２は、図５に示すように、当該開口面側からケース本体２０と組み合わされている。また、一対の切り欠き凹部２１１は、ケース本体２０の積層方向Ｘにおける一方の側壁２００に形成されている。そして、一対の切り欠き凹部２１１における各々の内周面２１３と、ケース本体２０とケース蓋体２２との合せ面２３との間に一対の開口部２１が形成され、一対の開口部２１に各々冷媒導排管１２０を挿通したグロメット３が配されている。
【００２６】
グロメット３は、弾性部材であるエチレン・プロピレンゴム（ＥＰＤＭ）により補強部材４を内包してなり、グロメット本体部３１と、グロメット本体部３１の積層方向Ｘにおける一方の端部に配されているガイド部３２とを有している。グロメット３は、図１に示すように積層方向Ｘから見た輪郭が略Ｕ字状を呈している。また、グロメット３は、図４に示すようにその厚みがケース本体２０の一方の側壁２００の厚みよりも大きくなっている。
【００２７】
グロメット本体部３１は、積層方向Ｘから見て切り欠き凹部２１１よりもわずかに大きいＵ字状を呈しており、積層方向Ｘにおけるグロメット本体部３１の一対の主面３００の間の図２に示す側周部分がシール面３１０として機能するよう構成されている。つまり、グロメット３を切り欠き凹部２１１に嵌入配置した後、グロメット本体部３１のシール面３１０と切り欠き凹部２１１の内周面２１３とが密着されるように構成されている。また、本例においては、水密性をより高めるため、ケース蓋体２２と当接する部分、つまりシール面３１０における曲面部分と反対側の部分３１３に、幅方向Ｙに平行な２本の突起部３１１が立設されている。
【００２８】
ガイド部３２は、図１及び図２に示すように、シール面３１０よりも外方に突出している。つまり、ガイド部３２は、図５に示すように、切り欠き凹部２１１に嵌入配置された状態において、切り欠き凹部２１１の端縁を覆うようにケース本体２０の一方の側壁２００側まで突出している。
【００２９】
また、図１及び図２に示すように、グロメット本体部３１の中央部には、積層方向Ｘから冷媒導排管１２０を貫通させるための貫通穴３０１が形成されている。貫通穴３０１の直径は、冷媒導排管１２０の外径よりもわずかに小さく形成されている。これにより、図６に示すように、貫通穴３０１に冷媒導排管１２０を挿嵌した状態において、グロメット３が弾性変形して貫通穴３０１の内周面と冷媒導排管１２０の外周面とが密着するように構成されている。
【００３０】
グロメット３の内部には、図２及び図３に示すように、円筒状の筒状体部４１と、筒状体部４１の一端から径方向の外方に向けて突出形成された鍔部４２とを有する鉄系材料よりなる補強部材４が内包されている。また、補強部材４の鍔部４２は、筒状体部４１の一端における全周に渡って形成されており、その一部に筒状体部４１の径方向と直交するように形成された平坦部４２０を１つ有している。これにより、本例の補強部材４における鍔部４２は、筒状体部４１の中心軸に対して回転対称とはならず、平坦部４２０の中央と筒状体部４１の中心軸とを通る断面上において、鍔部４２が筒状体部４１から突出する長さが異なるように構成されている。
【００３１】
図２に示すように、補強部材４は、グロメット本体部３１側に筒状体部４１が配されるとともに、ガイド部３２内に鍔部４２が配されるようにして弾性部材に内包されている。つまり、補強部材４の鍔部４２は、ガイド部３２とグロメット本体部３１との双方にわたって配置されている。また、補強部材４は、筒状体部４１の内側に貫通穴３０１が配され、鍔部４２の平坦部４２０がシール面３１０の突起部３１１側を向くように配置されている。
【００３２】
半導体モジュール１１は、ＩＧＢＴ（Insulated  Gate  Bipolar  Transistor）やＭＯＳＦＥＴ（Metal-Oxide-Semiconductor  Field  Effect  Transistor）等からなるスイッチング素子を１個ずつ内蔵している。複数の半導体モジュール１１は、図４に示すように、後述する冷却器１２における隣り合う冷却管１２１の間に１つずつ配されているとともに、積層方向Ｘに一列に配列されている。そして、半導体モジュール１１は、その両主面から一対の冷却管１２１によって挟持されている。これにより、複数の冷却管１２１と複数の半導体モジュール１１とが交互に積層され、積層体１２２を構成している。
【００３３】
冷却器１２は、図４に示すように、内部に冷却媒体を流通させる複数の冷却管１２１を積層方向Ｘにおいて所定の間隔を設けて並べて配置すると共に、隣り合う冷却管１２１同士を、その長手方向（幅方向Ｙ）の両端部において連結管１２３によって連結している。そして、積層方向Ｘの一端に配置された冷却管１２１における長手方向の両端部に一対の冷媒導排管１２０が接続されている。また、一対の冷媒導排管１２０は、図４に示すように、積層方向Ｘにおける一方の側壁２００側に配された冷却管１２１を基端として、ケース２の外方に向けて延伸されている。
【００３４】
上述のように構成された冷却器１２において、一方の冷媒導排管１２０から導入された冷却媒体は、連結管１２３を適宜通り、各冷却管１２１に分配されると共にその長手方向に流通する。そして、各冷却管１２１を流れる間に、冷却媒体は半導体モジュール１１との間で熱交換を行う。熱交換により温度上昇した冷却媒体は、下流側の連結管１２３を適宜通り、他方の冷媒導排管１２０に導かれ、冷却器１２から排出される。
【００３５】
次に、グロメット３の嵌入方法について説明する。まず、図６に示すように、ガイド部３２がケース２の外側に配されるようにして冷媒導排管１２０を貫通穴３０１に挿通することにより一対のグロメット３を冷却器１２に取り付ける。次いで、予め組み立てられ、積層体１２２を構成させた半導体モジュール１１と冷却器１２とをケース本体２０内に収めるように配置しつつ、一対のグロメット３を一対の切り欠き凹部２１１に向けて高さ方向Ｚに押圧し、嵌入配置させる。
【００３６】
図５に示すように、嵌入配置されたグロメット３は、シール面３１０における曲面部分と反対側の部分３１３がケース本体２０の一方の側壁２００と面一となるように配置される。また、グロメット３の突起部３１１は、嵌入配置された後、一方の側壁２００よりも高さ方向Ｚに突出している。
【００３７】
グロメット３を嵌入配置する際には、図６に示すように、治具５を用いてグロメット３の嵌入と位置決めとを同時に行うことができる。治具５は、例えば図６に示すように、幅方向Ｙから見て略Ｌ字状に形成されており、積層方向Ｘに延伸させてなる押圧部５０と、その先端を高さ方向Ｚに向けて屈曲させてなる位置決め部５１とを有している。そして、位置決め部５１と一方の側壁２００との間にガイド部３２を配置した状態で押圧部５０によりグロメット３を高さ方向Ｚに押圧し、グロメット３を嵌入可能に構成されている。これにより、ガイド部３２の積層方向Ｘにおける位置が位置決め部５１と一方の側壁２００との間に規制され、グロメット３の嵌入と位置決めとを同時に行うことが可能となる。
【００３８】
次に、本例の作用効果を説明する。グロメット３は、金属よりなる補強部材４を内包し、補強部材４の少なくとも一部がガイド部３２に配置されている。ガイド部３２は、補強部材４が内包されていることにより、開口部２１を構成する切り欠き凹部２１１に嵌入配置される際に変形しにくくなる。そのため、グロメット３は、嵌入配置後におけるガイド部３２のシール面３１０側への噛み込みを防止できるものとなる。その結果、グロメット３を有する電力変換装置１は、シール面３１０と切り欠き凹部２１１の内周面２１３との密着性を高めることが容易となり、水密性の高いものとなる。
【００３９】
また、ガイド部３２が上述のように変形しにくくなっているため、ガイド部３２を案内しつつグロメット３を切り欠き凹部２１１へ嵌入することにより、グロメット３の位置決めを容易に行うことができる。その結果、組み付けのやり直しを低減でき、生産性を向上させることができる。
【００４０】
また、補強部材４は、ガイド部３２とグロメット３部との双方にわたって配置されている。そのため、切り欠き凹部２１１への嵌入時にガイド部３２を変形させようとする力を、補強部材４を介してグロメット本体部３１に分散させることができる。その結果、ガイド部３２がより変形しにくいものとなるため、電力変換装置１は、水密性をより向上させることができる。
【００４１】
また、補強部材４は、グロメット本体部３１側に配された筒状体部４１と、筒状体部４１の一端から外方へ突出した鍔部４２とを備えている。そして、鍔部４２は、筒状体部４１の一端における全周に渡って形成されている。そのため、上述のように補強部材４の強度がより向上し、ガイド部３２をより効果的に補強することができる。また、筒状体部４１がグロメット本体部３１を補強するため、グロメット本体部３１がより変形しにくいものとなる。そのため、グロメット３は、シール面３１０と切り欠き凹部２１１の内周面２１３との間の密着性と、貫通穴３０１と一対の冷媒導排管１２０との間の密着性との双方をより向上させ、電力変換装置１の水密性をより向上させることができる。
【００４２】
また、ガイド部３２は、ケース２の外側に配されている。これにより、ガイド部３２が切り欠き凹部２１１の端縁を覆うように配置され、電力変換装置１の水密性をより向上させることができる。また、グロメット３を切り欠き凹部２１１に嵌入した後に、ガイド部３２が変形していないことを容易に確認することができるため、電力変換装置１は、生産性に優れたものとなる。
【００４３】
また、ケース２は、両者の間に一対の開口部２１を形成するように組合されるケース本体２０とケース蓋体２２とを備え、ケース本体２０は、ケース蓋体２２との合せ面２３から切り欠いたＵ字状を呈する一対の切り欠き凹部２１１を形成してなり、ガイド部３２は切り欠き凹部２１１の先端の曲面部２１４に配置されている。この場合には、切り欠き凹部２１１が角部を有さない形状となるため、シール面３１０と切り欠き凹部２１１の内周面２１３との間の密着性をより向上させることができる。その結果、電力変換装置１は、水密性をより向上させることができる。
【００４４】
また、本例においては、補強部材４が、平坦部４２０の中央と、筒状体部４１の中央とを結ぶ断面上において、鍔部４２が筒状体部４１から突出する長さが異なるように構成されている。そのため、鍔部４２をガイド部３２に配置させつつ、ガイド部３２と反対側における鍔部４２の突出する長さを短くすることができる。その結果、高さ方向Ｚにおけるグロメット３の寸法をより低減することができ、電力変換装置１を容易に小型化することができる。
【００４５】
以上のように、上記実施例によれば、生産性に優れ、水密性の高い電力変換装置を提供することができる。
【００４６】
（実施例２）
本例は、図７〜図９に示すように、実施例１における電力変換装置１の一対の開口部２１の形状を変化させた電力変換装置１０２の例である。本例の電力変換装置１０２は、ケース本体２０における一方の側壁２００に、一方の側壁２００を貫通する丸穴状の一対の開口部２１２を有している。そして、図９に示すように、一対の開口部２１２にそれぞれグロメット３０２が嵌入配置されている。
【００４７】
また、本例のグロメット３０２は、図７及び図８に示すように、開口部２１２に嵌入配置される円筒状のグロメット本体部３１２と、グロメット本体部３１２の一端から径方向の外方に向けて突出形成されたガイド部３２２とを有している。また、ガイド部３２２は、グロメット本体部３１２の一端における全周に渡って形成されている。
【００４８】
グロメット３０２に内包されている補強部材４０２は、図８に示すように、グロメット本体部３１２側に配される筒状体部４１と、筒状体部４１の一端における全周に渡って形成される鍔部４２２とを有している。なお、本例の鍔部４２２は、実施例１の補強部材４のように平坦部４２０を有しておらず、筒状体部４１の中心軸に対して回転対称に形成されている。
【００４９】
本例のグロメット３０２を開口部２１２に嵌入配置する場合には、まず、予め積層体１２２を形成させた半導体モジュール１１と冷却器１２とをケース本体２０に収容し、一対の開口部２１２の各々から冷媒導排管１２０を突出させる。その後、グロメット３を一対の冷媒導排管１２０のそれぞれに挿通させつつ、一対の開口部２１２に嵌入配置させる。その他は実施例１と同様である。なお、図７〜図９において用いた符号のうち、実施例１において用いた符号と同一のものは、特に示さない限り実施例１と同様の構成要素等を表すものとする。
【００５０】
このように、グロメットに補強部材を内包したガイド部が形成されていれば、一対の開口部の形状によらず、グロメットの嵌入配置後におけるガイド部のシール面側への噛み込みを防止することができる。その他、実施例１と同様の作用効果を奏することができる。
【００５１】
（実施例３）
本例は、図１０に示すように、実施例１における補強部材４の鍔部４２の形状を変更した補強部材４０３を用いたグロメットの例である。本例の補強部材４０３は、図１０に示すように、筒状体部４１の一端における３箇所から、径方向の外方に突出するように鍔部４２３（４２３ａ、４２３ｂ、４２３ｃ）が形成されている。３箇所の鍔部４２３のうち２つの鍔部４２３ａ、４２３ｃは、筒状体部４１の径方向における互いに反対側となる位置に１つずつ配置されている。また、これら２箇所の鍔部４２３ａ、４２３ｃの中間となる位置に、もう１つの鍔部４２３ｂが配置されている。
【００５２】
また、図には示さないが、補強部材４０３は、グロメットの内部において、互いに反対側に配置された２箇所の鍔部４２３ａ及び鍔部４２３ｃを幅方向Ｙに向けるとともに、これらの間に配置されたもう１つの鍔部４２３ｂを切り欠き凹部２１１の曲面部２１４側に向けている。その他は実施例１と同様である。なお、図１０において用いた符号のうち、実施例１において用いた符号と同一のものは、特に示さない限り実施例１と同様の構成要素等を表すものとする。
【００５３】
本例のように、鍔部４２３がガイド部の少なくとも一部に配置されていれば、ガイド部の強度を補強することができ、グロメットの嵌入配置後におけるガイド部のシール面側への噛み込みを防止することができる。その他、実施例１と同様の作用効果を奏することができる。
【００５４】
（実施例４）
本例は、図１１及び図１２に示すように、実施例１における補強部材４に替えて、筒状体部４１を有しない補強部材４０４を用いたグロメット３０４の例である。本例の補強部材４０４は、図１１に示すように、実施例１における補強部材４の鍔部４２のみからなる形状を有している。つまり、本例の補強部材４は、略円環状を呈しているとともに、その径方向と直交するように形成された平坦部４２０を１つ有している。
【００５５】
補強部材４０４は、図１２に示すように、グロメット３０４の内部において、ガイド部３２とグロメット本体部３１との双方にわたって配置されている。また、補強部材４０４は、平坦部４２０をシール面３１０の突起部３１１側に向けて配されている。その他は実施例１と同様である。なお、図１１及び図１２において用いた符号のうち、実施例１と同一の符号のものは、特に示さない限り実施例１と同様の構成要素等を表すものとする。
【００５６】
本例のように、筒状体部４１を有さない補強部材４０４であっても、ガイド部３２とグロメット本体部３１との双方にわたって配置されていれば、開口部２１への嵌入時にガイド部３２を変形させようとする力を、補強部材４０４を介してグロメット本体部３１に分散させることができる。その結果、ガイド部３２がより変形しにくいものとなるため、電力変換装置１は、水密性をより向上させることができる。
【００５７】
（実施例５）
本例は、図１３に示すように、実施例４における補強部材４０４の形状を変更した補強部材４０５を用い、ガイド部３２のみに補強部材４０５を配置したグロメット３０５の例である。本例の補強部材４０５は、中心に対して回転対称となるように、円環状に形成されている。そして、補強部材４０５は、図１３に示すように、ガイド部３２にのみ配置されており、シール面３１０よりもグロメット本体部３１側までは延伸されていない。その他は実施例４と同様である。なお、図１３において用いた符号のうち、実施例４と同一の符号のものは、特に示さない限り実施例４と同様の構成要素等を表すものとする。
【００５８】
このように、補強部材が少なくともガイド部に配置されていれば、補強部材が内包されていることにより、開口部に嵌入配置される際に変形しにくくなる。そのため、グロメットは、嵌入配置後におけるガイド部のシール面側への噛み込みを防止できるものとなる。また、ガイド部を案内しつつグロメットを開口部へ嵌入することにより、グロメットの位置決めを容易に行うことができる。その結果、組み付けのやり直しを低減でき、生産性を向上させることができる。
【００５９】
（実施例６）
本例は、図１４及び図１５に示すように、実施例１における補強部材４に替えて、略Ｕ字型の補強部材４０６を用いたグロメット３０６の例である。本例の補強部材４０６は、図１４及び図１５に示すように、シール面３１０に沿うように板状部材をＵ字に湾曲してなるシール面沿設部４１６と、シール面沿設部４１６から外方（ガイド部３２側）に向けて突出形成されたガイド沿設部４２６とから構成されている。
【００６０】
補強部材４０６は、図１４に示すように、シール面沿設部４１６をグロメット本体部３１側に向けるとともに、ガイド沿設部４２６がガイド部３２内に配されるようにして弾性部材に内包されている。これにより、ガイド沿設部４２６は、グロメット本体部３１とガイド部３２との双方にわたって配設されている。その他は実施例１と同様である。なお、図１４及び図１５において用いた符号のうち、実施例１と同一の符号のものは、特に示さない限り実施例１と同様の構成要素等を表すものとする。
【００６１】
本例のように、補強部材は必ずしも環状である必要はなく、ガイド部に配置可能な形状であれば、開口部に嵌入配置される際に変形しにくくする作用効果を発揮することができる。
【００６２】
なお、実施例１〜６には、複数の半導体モジュールと複数の冷却管とが互いに積層されて積層体を構成している例を示したが、半導体モジュールと冷却管とが積層されていない構成をとることも可能である。積層体を構成していない例としては、半導体モジュールを、内部に冷却媒体を流通可能に構成された冷却ブロック状に載置する構成が考えられる。
【００６３】
また、切り欠き凹部２１１の形状は、Ｕ字状に限定されることはなく、長方形状やＶ字状等、冷媒導排管を挿通可能な形状であれば種々の形状を採用することができる。
【符号の説明】
【００６４】
１、１０２  電力変換装置
１１  半導体モジュール
１２  冷却器
１２０  冷媒導排管
２  ケース
２１、２１２  開口部
２１３  内周面
３、３０２、３０４、３０５、３０６  グロメット
３１、３１２  グロメット本体部
３１０、３１３  シール面
３２、３２２  ガイド部
４、４０２、４０３、４０４、４０５、４０６  補強部材
【図１】
2014090019.tif 000003
【図２】
2014090019.tif 000004
【図３】
2014090019.tif 000005
【図４】
2014090019.tif 000006
【図５】
2014090019.tif 000007
【図６】
2014090019.tif 000008
【図７】
2014090019.tif 000009
【図８】
2014090019.tif 000010
【図９】
2014090019.tif 000011
【図１０】
2014090019.tif 000012
【図１１】
2014090019.tif 000013
【図１２】
2014090019.tif 000014
【図１３】
2014090019.tif 000015
【図１４】
2014090019.tif 000016
【図１５】
2014090019.tif 000017